(57)【特許請求の範囲】
【請求項１】
ガス機器の周辺における人の存否を検知する検知センサと、
前記ガス機器へガスを供給する供給管に設けられ、前記ガスの供給を遮断する遮断弁と、前記供給管の流量を検出する流量センサと、を有する遮断ユニットであって、前記検知センサが前記周辺における前記人の不在を予め定められた時間以上検知し、且つ前記流量センサによって予め定められた流量以上の流量が検出された場合に、前記ガスの供給を前記遮断弁により遮断する遮断ユニットと、
を備え、
前記供給管は、上流端部にガスメータが接続された本管と、該本管から分岐して前記ガス機器としての第一ガス機器にガスを供給する第一枝管と、該本管から分岐して第二ガス機器にガスを供給する第二枝管と、を有しており、
前記遮断ユニットは、前記第一枝管に設けられている
ガス遮断システム。
【請求項２】
前記検知センサからの検知結果を取得し、前記検知センサが前記周辺における前記人の不在を予め定められた時間以上検知した場合に、前記遮断弁を閉じる遮断信号を前記遮断ユニットへ出力する出力装置、を備え、
前記遮断ユニットは、前記遮断信号を取得し、且つ前記流量センサが予め定められた流量以上の流量を検知した場合に、前記ガスの供給を前記遮断弁により遮断する
請求項１に記載のガス遮断システム。
【請求項３】
前記遮断ユニットは、前記供給管のガスの圧力を検出する圧力センサを有し、前記圧力センサが予め定められた圧力値以上の圧力を検出した場合に、閉じた状態の前記遮断弁の復帰を許容する
請求項１又は２に記載のガス遮断システム。
【請求項４】
閉じた状態の前記遮断弁を復帰させる指示を取得した場合に、復帰信号を前記遮断ユニットへ出力する出力装置、を備え、
前記遮断ユニットは、前記復帰信号を取得し、且つ前記圧力センサが予め定められた圧力値以上の圧力を検出した場合に、閉じた状態の前記遮断弁を復帰させる
請求項３に記載のガス遮断システム。
【請求項５】
前記検知センサは、マイクロ波を照射して前記人の存否を検知するセンサである
請求項１〜４のいずれか１項に記載のガス遮断システム。
【請求項６】
前記マイクロ波の照射範囲を変更する変更指示を取得した場合に、前記検知センサのマイクロ波の照射範囲を変更する変更装置を備える
請求項５に記載のガス遮断システム。
【発明の詳細な説明】
【技術分野】
【０００１】
本発明は、ガス遮断システムに関するものである。
【背景技術】
【０００２】
特許文献１には、ガスレンジの炎の存否を感知して炎感知信号を出力する炎センサと、マイクロ波を用いてガスレンジ周辺の人の存否を感知して人感信号を出力する人感センサと、人感信号に基づいて人の不在時間を計測するタイマーと、不在時間に基づいて警告を出力する警告部と、炎の存在を感知した状態で不在時間が第１設定時間を超えたときに警告を出力するとともに、第１設定時間より長い第２設定時間を超えたときにガスレンジへのガスの供給を停止するガスレンジ制御装置と、を備えるガスレンジ制御システムが開示されている。
【先行技術文献】
【特許文献】
【０００３】
【特許文献１】実用新案登録第３２１９６０２号公報
【発明の概要】
【発明が解決しようとする課題】
【０００４】
特許文献１に開示されるシステムでは、ガス機器の使用状態を炎センサで検知するため、炎センサを遮断弁とは別部品として構成し、且つ遮断弁から離れた位置に配置する必要がある。このため、炎センサを配置するための配置スペースを、別途、設ける必要がある。
【０００５】
本発明は、上記事実を考慮し、ガス遮断システムの省スペース化を図ることを目的とする。
【課題を解決するための手段】
【０００６】
第１態様に係るガス遮断システムは、ガス機器の周辺における人の存否を検知する検知センサと、前記ガス機器へガスを供給する供給管に設けられ、前記ガスの供給を遮断する遮断弁と、前記供給管の流量を検出する流量センサと、を有する遮断ユニットであって、前記検知センサが前記周辺における前記人の不在を予め定められた時間以上検知し、且つ前記流量センサによって予め定められた流量以上の流量が検出された場合に、前記ガスの供給を前記遮断弁により遮断する遮断ユニットと、を備える。
【０００７】
このように、第１態様の構成では、遮断弁と流量センサとを有するユニットを用いているため、遮断弁と流量センサとがユニットとして構成されていない場合に比べ、ガス遮断システムの省スペース化を図ることができる。
【０００８】
ここで、例えば、ガス機器の使用状態を流量センサではなく、ガス機器の炎を検出する炎センサで検知する構成では、遮断弁と離れた位置に炎センサを配置する必要があり、ユニットとして構成できない。
【０００９】
第２態様に係るガス遮断システムは、前記検知センサからの検知結果を取得し、前記検知センサが前記周辺における前記人の不在を予め定められた時間以上検知した場合に、前記遮断弁を閉じる遮断信号を前記遮断ユニットへ出力する出力装置、を備え、前記遮断ユニットは、前記遮断信号を取得し、且つ前記流量センサが予め定められた流量以上の流量を検知した場合に、前記ガスの供給を前記遮断弁により遮断する。
【００１０】
このように、第２態様の構成では、検知センサがガス機器の周辺における人の不在を予め定められた時間以上検知した場合に、出力装置が、遮断信号を遮断ユニットへ出力するため、遮断ユニットにおいて、検知センサがガス機器の周辺における人の不在を予め定められた時間以上検知したか否かの判定を行う必要がない。
【００１１】
したがって、遮断ユニットにおいて、検知センサがガス機器の周辺における人の不在を予め定められた時間以上検知したか否かの判定を行う必要がある構成に比べ、遮断ユニットを簡易な構成にできる。
【００１２】
第３態様に係るガス遮断システムでは、前記遮断ユニットは、前記供給管のガスの圧力を検出する圧力センサを有し、前記圧力センサが予め定められた圧力値以上の圧力を検出した場合に、閉じた状態の前記遮断弁の復帰を許容する。
【００１３】
このように、第３態様の構成では、圧力センサが予め定められた圧力値以上の圧力を検出した場合に、遮断弁の復帰を許容するので、例えば、ガス機器におけるガス栓が開放状態であることによって、又は、供給管やガス機器等でのガス漏れによって、供給管のガス圧力が低下している状態で、遮断弁が復帰されることを防止できる。
【００１４】
第４態様に係るガス遮断システムは、閉じた状態の前記遮断弁を復帰させる指示を取得した場合に、復帰信号を前記遮断ユニットへ出力する出力装置、を備え、前記遮断ユニットは、前記復帰信号を取得し、且つ前記圧力センサが予め定められた圧力値以上の圧力を検出した場合に、閉じた状態の前記遮断弁を復帰させる。
【００１５】
第４態様の構成では、出力装置に対して遮断弁を復帰させる指示を入力することで、遮断弁を復帰できる。したがって、人が遮断弁自体を操作せずに、遮断弁を復帰できる。
【００１６】
第５態様に係るガス遮断システムでは、前記供給管は、本管と、該本管から分岐して前記ガス機器としての第一ガス機器にガスを供給する第一枝管と、該本管から分岐して第二ガス機器にガスを供給する第二枝管と、を有しており、前記遮断ユニットは、前記第一枝管に設けられている。
【００１７】
このように、第５態様の構成では、ユニットが、本管ではなく第一枝管に設けられているため、検知センサが人の不在を予め定められた時間以上検知し、且つ流量センサが予め定められた流量以上の流量を検出した場合でも、第二ガス機器の使用を継続できる。
【００１８】
第６態様に係るガス遮断システムでは、前記検知センサは、マイクロ波を照射して前記人の存否を検知するセンサである。
【００１９】
このように、第６態様の構成では、マイクロ波を照射して前記人の存否を検知するセンサので、赤外線センサを用いる場合に比べ、温度の影響を受けにくく、気温が高い環境においても誤検知を抑制できる。
【００２０】
第７態様に係るガス遮断システムは、前記マイクロ波の照射範囲を変更する変更指示を取得した場合に、前記検知センサのマイクロ波の照射範囲を変更する変更装置を備える。
【００２１】
このように、第７態様の構成では、検知センサのマイクロ波の照射範囲を変更できるので、ガス機器が設置されている設置場所の状況に合わせて、検知センサの検知範囲を調整できる。
【発明の効果】
【００２２】
本発明は、上記構成としたので、ガス遮断システムの省スペース化を図ることができるという優れた効果を有する。
【図面の簡単な説明】
【００２３】
【図１】本実施形態に係るガス遮断システムを示す概略図である。
【図２】本実施形態に係る遮断ユニットを示す概略図である。
【図３】本実施形態に係る処理装置を含むガス遮断システムを示すブロック図である。
【図４】本実施形態に係る処理装置のプロセッサの機能構成の一例を示すブロック図である。
【図５】本実施形態に係る遮断ユニットを示すブロック図である。
【図６】本実施形態に係る遮断ユニットの制御基板におけるプロセッサの機能構成の一例を示すブロック図である。
【図７】本実施形態に係る処理装置によって実行される遮断処理の流れの一例を示すフローチャートである。
【発明を実施するための形態】
【００２４】
以下に、本発明に係る実施形態の一例を図面に基づき説明する。
【００２５】
（ガス遮断システム１０）
本実施形態に係るガス遮断システム１０の構成を説明する。図１は、本実施形態に係るガス遮断システム１０の構成を示す概略図である。
【００２６】
図１に示されるガス遮断システム１０は、ガス機器１１へのガスの供給を、予め定められた条件下において遮断するシステムである。このガス遮断システム１０は、一例として、ガス機器１１が配置された飲食店の厨房に対して、適用される。
【００２７】
本実施形態では、ガス遮断システム１０は、厨房に配置された複数のガス機器１１、１２のうち、ガス機器１１に対してガス供給の遮断機能を有し、ガス機器１２に対してはガス供給の遮断機能を有していない。すなわち、本実施形態では、厨房に配置された全てのガス機器が、ガス供給の遮断対象となるわけではなく、複数のガス機器として、ガス供給の遮断対象となるガス機器（本実施形態ではガス機器１１）と、ガス供給の遮断対象とならないガス機器（本実施形態ではガス機器１２）と、が存在する。
【００２８】
なお、ガス遮断システム１０は、ガス遮断システム１０が適用される適用対象（本実施形態では厨房）に配置された全てのガス機器について、ガスの供給を遮断するように構成されていてもよい。
【００２９】
ガス遮断システム１０は、具体的には、図１に示されるように、人感センサ２０と、遮断ユニット３０と、処理装置６０と、を備えている。以下、ガス機器１１、１２と、ガス機器１１、１２へガスを供給する供給管５０と、ガス遮断システム１０の各構成部（具体的には、人感センサ２０、遮断ユニット３０、及び処理装置６０）と、について説明する。
【００３０】
（ガス機器１１、１２及び供給管５０）
ガス機器１１、１２へガスを供給する供給管５０は、図１に示されるように、本管５６と、本管５６から分岐する第一枝管５１と、本管５６から分岐する第二枝管５２と、を有している。本管５６の上流端部には、ガスメータ５９が接続されている。
【００３１】
第一枝管５１には、ガス機器１１が設けられている。第一枝管５１は、ガス機器１１へガスを供給する。第二枝管５２には、ガス機器１２が設けられている。第二枝管５２は、ガス機器１２へガスを供給する。
【００３２】
ガス機器１１は、第一ガス機器の一例であり、前述のように、ガスの供給の遮断対象となるガス機器である。ガス機器１１としては、例えば、過熱状態が生じるガス機器（例えば、ガスレンジ、及びフライヤー等）などがある。
【００３３】
ガス機器１２は、第二ガス機器の一例であり、前述のように、ガスの供給の遮断対象とならないガス機器である。ガス機器１２としては、例えば、火力が自動制御されること等により、過熱状態が生じないガス機器（例えば、給湯器等）、使用途中でガス供給が遮断されると営業に支障をきたすガス機器（例えば、スチームコンベクションオーブン等のガスオーブン、及び中華レンジ等）などがある。
【００３４】
なお、供給管５０は、第一枝管５１及び第二枝管５２に加えて、さらに、本管５６、第一枝管５１及び第二枝管５２のいずれかから分岐する枝管を有していてもよい。この場合では、さらに、当該枝管に対してガス機器が設けられていてもよい。
【００３５】
（人感センサ２０）
人感センサ２０は、検知センサの一例である。人感センサ２０は、ガス機器１１の周辺における人（すなわち、ガス機器１１の使用者）の存否を検知するセンサである。本実施形態では、人感センサ２０は、ガス機器１１が配置された飲食店の厨房に設置される。
【００３６】
このように、人感センサ２０は、飲食店の厨房に設置されるため、以下の（１）（２）の機能を有することが求められる。
（１）一般の部屋より温湿度が高い厨房内にて、ガス機器１１の使用者（以下、単に使用者という）の存否を検知可能であること
（２）人感センサ２０が熱や油煙、及び水蒸気等で故障しないこと
【００３７】
人感センサ２０としては、赤外線センサ、超音波センサ、及びマイクロ波センサなどが用いることができるが、この中でもマイクロ波センサを用いることが望ましい。
【００３８】
マイクロ波センサは、マイクロ波を照射して使用者の存否を検知するセンサである。具体的には、マイクロ波センサは、マイクロ波を照射し、ドップラー効果を利用して動体（すなわち、動作する使用者）を検知する。そして、人感センサ２０では、ガス機器１１周辺の予め定められた範囲（以下、検知範囲という）において、動体（すなわち、動作する使用者）を検知しない場合に、当該検知範囲に使用者が不在であることを示す不在信号を出力する。この不在信号は、処理装置６０の後述の取得部６１Ａによって取得される。人感センサ２０の検知範囲は、ガス機器１１の使用の際に使用者が居る（立つ）領域、具体的には、例えば、ガス機器１１正面の領域に設定される。
【００３９】
このように、マイクロ波の照射によるドップラー効果を利用した方式では、温湿度の変化に影響を受けにくい。また、マイクロ波は、プラスチック等の所定の物質を透過する性質を有している。
【００４０】
一方、赤外線センサは、周囲の気温と使用者の体温との温度差によって使用者の存否を検知する。具体的には、赤外線センサは、周囲の気温よりも予め定められた温度（例えば３℃）高い動体（すなわち、動作する使用者）を検知する。このため、一般の部屋より気温が高い厨房内では、周囲の気温と使用者の体温との温度差が小さくなるため、使用者の存否を検知しにくい。
【００４１】
また、超音波センサでは、通常、厨房の空間内に配置された配置物（例えば機器や食材）の配置位置を記憶させてから用いる必要があるため、配置物の配置位置が変更されるためにリセットする必要がある。厨房では、配置物の移動が、頻繁に行われるため、超音波センサは不向きである。なお、マイクロ波センサの場合では、厨房の空間内に配置された配置物の配置位置を記憶させる必要はないため、配置物の配置位置が変更されてもリセットの必要はない。
【００４２】
また、人感センサ２０は、マイクロ波が透過する材料（例えばプラスチック）で構成されたケースに収容されている。これにより、人感センサ２０が、熱、油煙、及び水蒸気等にさらされることを抑制する。
【００４３】
人感センサ２０は、図１に示されるように、例えば、厨房の天井１０２に設置される。人感センサ２０は、下方側へ向けてマイクロ波を照射する。人感センサ２０の設置される個数は、単数に限られず、複数であってもよく、ガス機器１１が設置されている設置場所の状況に合わせて設定可能である。
【００４４】
なお、本実施形態では、人感センサ２０としてマイクロ波センサを用いたが、これに限られない。人感センサ２０としては、赤外線センサ及び超音波センサ、その他のセンサを用いてもよい。
【００４５】
（遮断ユニット３０）
遮断ユニット３０は、ガス機器１１へ供給されるガスを、予め定められた条件下で遮断するユニットである。この遮断ユニット３０は、図１に示されるように、ガス機器１１へガスを供給する供給管５０に設けられている。具体的には、遮断ユニット３０は、第一枝管５１に対して設けられ、第二枝管５２に対しては設けられていない。
【００４６】
遮断ユニット３０は、図２に示されるように、筐体３１と、ガス流路３３と、遮断弁３２と、流量センサ３４と、圧力センサ３６と、制御基板３８と、を有している。
【００４７】
筐体３１は、遮断ユニット３０の各構成部分が収容される箱体（すなわちケース）である。ガス流路３３は、筐体３１の内部に設けられており、正面視においてＵの字状に形成されている。ガス流路３３の一端部及び他端部が第一枝管５１に接続され、第一枝管５１のガスがガス流路３３を流れる。換言すれば、ガス流路３３が第一枝管５１の一部を構成している。なお、図２では、ガス流路３３におけるガスの流通方向が、一点鎖線の矢印にて示されている。
【００４８】
遮断弁３２は、ガス機器１１へ供給されるガスを、予め定められた条件下で遮断する弁である。この遮断弁３２は、ガス流路３３に対して設けられており、ガス流路３３を開閉可能な弁として構成されている。そして、遮断弁３２が、ガス流路３３を閉じることで、第一枝管５１でのガスの供給を遮断する。
【００４９】
圧力センサ３６は、ガス流路３３におけるガス圧力を検知するセンサである。圧力センサ３６は、ガス流路３３におけるガス圧力を検知することにより、第一枝管５１におけるガス圧力を検知する。本実施形態では、圧力センサ３６は、一例として、図２に示されるように、遮断弁３２に搭載されている。
【００５０】
この圧力センサ３６は、一例として、予め定められた圧力値（以下、基準圧力値）未満のガス圧力を検出した場合に、第一枝管５１のガス圧力が基準圧力値未満であることを示す検知信号を出力する。この検知信号は、制御基板３８の後述の取得部８１Ａによって取得される。一方、圧力センサ３６は、ガス流路３３におけるガス圧力が、基準圧力値以上である場合には、上記検知信号を出力しない。
【００５１】
流量センサ３４は、供給管５０（具体的には、第一枝管５１）の流量を検出するためのセンサである。本実施形態では、流量センサ３４は、ガス機器１１が使用状態であるか否かを検知するために用いられる。
【００５２】
流量センサ３４は、図２に示されるように、一例として、ガス流路３３を間に挟んで互いが対向するように、ガス流路３３の上流側と下流側とに配置された一対の超音波センサ３４Ａ、３４Ｂを有している。一対の超音波センサ３４Ａ、３４Ｂの各々が送信機能及び受信機能を有しており、各々が送信した超音波を互いに受信し合う。そして、後述するように、一対の超音波センサ３４Ａ、３４Ｂの各々が受信した超音波の到達時間差により、ガス流路３３に流れるガスのガス流量が算出される。
【００５３】
なお、遮断ユニット３０に備えられた制御基板３８の具体的な構成については後述する。
【００５４】
上記構成を有する遮断ユニット３０としては、超音波型のマイコンメータを転用することが可能である。また、遮断ユニット３０では、流量センサ３４として、超音波センサ３４Ａ、３４Ｂを有するセンサを用いたが、これに限られない。流量センサ３４としては、種々のセンサを用いることが可能である。
【００５５】
（処理装置６０）
処理装置６０は、出力装置の一例であり、各種の処理を実行する装置である。この処理装置６０は、予め定められた信号を、予め定められた条件下において、遮断ユニット３０に出力する。
【００５６】
具体的には、処理装置６０は、人感センサ２０からの検知結果を取得し、人感センサ２０がガス機器１１の周辺における使用者の不在を予め定められた時間（以下、基準時間という）以上検知した場合に、遮断弁３２を閉じる遮断信号を遮断ユニット３０へ出力する。
【００５７】
処理装置６０は、図３に示されるように、一例として、プロセッサ６１と、メモリ６２と、ストレージ６３と、タイマー６４と、入力部６６と、を有している。プロセッサ６１は、一例として、汎用的なプロセッサであるＣＰＵ（Ｃｅｎｔｒａｌ  Ｐｒｏｃｅｓｓｉｎｇ  Ｕｎｉｔ）で構成されている。タイマー６４は、人感センサ２０からの信号の入力が継続する継続時間を計測するための計測部である。
【００５８】
入力部６６は、使用者によって各種の指示が入力される構成部である。入力部６６では、例えば、閉じた状態の遮断弁３２を復帰させる復帰指示（すなわちガス機器１１が使用可能な状態へ復帰させる復帰指示）、人感センサ２０のマイクロ波の照射範囲を変更する照射範囲変更指示、及び基準時間を変更する時間変更指示が入力可能とされている。入力部６６は、一例として、タッチパネル、操作ボタン、操作キー、及び操作レバー等の操作部により構成される。なお、処理装置６０は、使用者に操作される入力部６６を有するため、予め使用者が操作しやすい壁や台に設置される。
【００５９】
ストレージ６３は、処理プログラム６３Ａ（図４参照）を含む各種プログラムと、各種データと、を格納する。ストレージ６３は、具体的には、フラッシュメモリ等の記録装置により実現される。
【００６０】
メモリ６２は、プロセッサ６１が各種プログラムを実行するための作業領域であり、プロセッサ６１が処理を実行する際に一時的に各種プログラム又は各種データを記録する。プロセッサ６１は、ストレージ６３から処理プログラム６３Ａを含む各種プログラムをメモリ６２に読み出し、メモリ６２を作業領域としてプログラムを実行する。
【００６１】
処理装置６０において、プロセッサ６１は処理プログラム６３Ａを実行することにより、各種の機能を実現する。以下、ハードウェア資源としてのプロセッサ６１とソフトウェア資源としての処理プログラム６３Ａの協働によって実現される機能構成について説明する。図４は、プロセッサ６１の機能構成を示すブロック図である。
【００６２】
図４に示されるように、処理装置６０において、プロセッサ６１は、処理プログラム６３Ａを実行することにより、取得部６１Ａ、計測部６１Ｂ、出力部６１Ｃ、及びセンサ制御部６１Ｄとして機能する。
【００６３】
取得部６１Ａは、人感センサ２０からの検知結果を取得する。具体的には、取得部６１Ａは、人感センサ２０から、検知範囲において使用者が不在であることを示す不在信号を取得する。
【００６４】
また、取得部６１Ａは、入力部６６を通じて入力された各種の指示を取得する。具体的には、取得部６１Ａは、閉じた状態の遮断弁３２を復帰させる復帰指示、人感センサ２０のマイクロ波の照射範囲を変更する照射範囲変更指示、及び基準時間を変更する時間変更指示を取得する。照射範囲変更指示には、変更後の照射範囲を示す照射範囲情報も含まれる。また、時間変更指示には、変更後の基準時間を示す時間情報も含まれる。
【００６５】
計測部６１Ｂは、取得部６１Ａによる不在信号の取得が継続する継続時間を、タイマー６４によって計測する。
【００６６】
出力部６１Ｃは、計測部６１Ｂが、当該継続時間を基準時間以上計測した場合に、遮断弁３２を閉じる遮断信号を遮断ユニット３０の制御基板３８へ出力する。このように、処理装置６０は、人感センサ２０からの検知結果を取得し、人感センサ２０がガス機器１１の周辺における使用者の不在を基準時間以上検知した場合に、遮断弁３２を閉じる遮断信号を遮断ユニット３０へ出力する。
【００６７】
基準時間は、ガス機器１１において加熱を継続した場合に異常過熱が生じ得る時間として予め設定される。なお、出力部６１Ｃは、取得部６１Ａが時間変更指示を取得した場合に、当該時間変更指示に含まれる時間情報に基づき、基準時間を変更する。
【００６８】
また、出力部６１Ｃは、取得部６１Ａが復帰指示を取得した場合に、閉じた状態の遮断弁３２を開いた状態に復帰させる復帰信号を遮断ユニット３０への制御基板３８へ出力する。このように、処理装置６０は、遮断弁３２を復帰させる復帰指示を取得した場合に、復帰信号を遮断ユニット３０へ出力する。
【００６９】
センサ制御部６１Ｄは、取得部６１Ａが照射範囲変更指示を取得した場合に、当該照射範囲変更指示に含まれる照射範囲情報に基づき、人感センサ２０の照射範囲を変更する。このように、処理装置６０は、人感センサ２０におけるマイクロ波の照射範囲（すなわち検知範囲）を変更する変更指示を取得した場合に、人感センサ２０のマイクロ波の照射範囲を変更する。すなわち、処理装置６０は、変更装置の一例として機能する。
【００７０】
なお、処理装置６０は、特定の処理を実行させるために専用に設計された回路で構成された専用のプロセッサを有し、当該プロセッサに各種の処理を実行する構成であってもよい。
【００７１】
（制御基板３８）
遮断ユニット３０の制御基板３８は、遮断弁３２の開閉を制御する制御部である。具体的には、制御基板３８は、人感センサ２０がガス機器１１の周辺における使用者の不在を基準時間以上検知し、流量センサ３４によって予め定められた流量以上の流量が検出された場合に、ガスの供給を遮断弁３２により遮断する。
【００７２】
制御基板３８は、図５に示されるように、一例として、プロセッサ８１と、メモリ８２と、ストレージ８３と、を有している。プロセッサ８１は、一例として、汎用的なプロセッサであるＣＰＵ（Ｃｅｎｔｒａｌ  Ｐｒｏｃｅｓｓｉｎｇ  Ｕｎｉｔ）で構成されている。
【００７３】
ストレージ８３は、処理プログラム８３Ａ（図６参照）を含む各種プログラムと、各種データと、を格納する。ストレージ８３は、具体的には、フラッシュメモリ等の記録装置により実現される。
【００７４】
メモリ８２は、プロセッサ８１が各種プログラムを実行するための作業領域であり、プロセッサ８１が処理を実行する際に一時的に各種プログラム又は各種データを記録する。プロセッサ８１は、ストレージ８３から処理プログラム８３Ａを含む各種プログラムをメモリ８２に読み出し、メモリ８２を作業領域としてプログラムを実行する。
【００７５】
制御基板３８において、プロセッサ８１は処理プログラム８３Ａを実行することにより、各種の機能を実現する。以下、ハードウェア資源としてのプロセッサ８１とソフトウェア資源としての処理プログラム８３Ａの協働によって実現される機能構成について説明する。図６は、プロセッサ８１の機能構成を示すブロック図である。
【００７６】
図６に示されるように、制御基板３８において、プロセッサ８１は、処理プログラム８３Ａを実行することにより、取得部８１Ａ、計測部８１Ｂ、算出部８１Ｃ、及び開閉制御部８１Ｄとして機能する。
【００７７】
取得部８１Ａは、遮断弁３２を閉じる遮断信号を処理装置６０から取得する。また、取得部８１Ａは、流量センサ３４の検知結果を流量センサ３４から取得する。具体的には、取得部８１Ａは、流量センサ３４に備えられた一対の超音波センサ３４Ａ、３４Ｂの各々が超音波を送信したことを示す送信信号と、一対の超音波センサ３４Ａ、３４Ｂの各々が超音波を受信したことを示す受信信号と、を取得する。
【００７８】
また、取得部８１Ａは、閉じた遮断弁３２を開いた状態に復帰させる復帰信号を、処理装置６０から取得する。また、取得部８１Ａは、第一枝管５１のガス圧力が基準圧力値未満であることを示す検知信号を圧力センサ３６から取得する。なお、ガス流路３３におけるガス圧力が、基準圧力値以上である場合には、圧力センサ３６は、当該検知信号を出力しないため、取得部８１Ａが当該検知信号を取得しない場合には、制御基板３８では、圧力センサ３６が、基準圧力値未満のガス圧力を検出したものと把握される。換言すれば、圧力センサ３６は、当該検知信号を出力しない場合は、圧力センサ３６が、基準圧力値未満のガス圧力を検出した場合に相当する。
【００７９】
計測部８１Ｂは、超音波センサ３４Ａが超音波を送信してから該超音波を超音波センサ３４Ｂが受信するまでの到達時間と、超音波センサ３４Ｂが超音波を送信してから該超音波を超音波センサ３４Ａが受信するまでの到達時間と、を計測する。
【００８０】
算出部８１Ｃは、計測部８１Ｂの計測された２つの到達時間の差により、ガス流路３３に流れるガスのガス流量を算出する。
【００８１】
開閉制御部８１Ｄは、遮断弁３２の開閉を制御する機能を有している。開閉制御部８１Ｄは、取得部８１Ａが処理装置６０からの遮断信号を取得し、且つ、算出部８１Ｃが算出したガス流量が、予め定められた流量（以下、基準流量）以上の流量である場合に、遮断弁３２を閉じる遮断制御を遮断弁３２に対して行う。基準流量は、ガス機器１１の使用によってガス流路３３において生じるガス流量として設定される。すなわち、基準流量は、ガス機器１１の使用状態が認められる流量として予め設定される。
【００８２】
ここで、判定の対象となるガス流量は、一例として、取得部８１Ａが遮断信号を取得した時点の流量である。この場合は、遮断信号を取得した時点でガス機器１１が使用されていたことから、人感センサ２０の検知範囲に使用者が不在であった期間（すなわち基準時間）にガス機器１１が使用されていたものとして、遮断制御を行う。なお、判定の対象となるガス流量は、人感センサ２０の検知範囲に使用者が不在であった期間（すなわち基準時間）における流量であってもよいし、当該期間の経過時点（終了時点）の流量であってもよい。
【００８３】
開閉制御部８１Ｄは、取得部８１Ａが処理装置６０からの遮断信号を取得しない場合、及び、算出部８１Ｃが算出したガス流量が、基準流量未満の流量である場合においては、遮断弁３２を動作させず、遮断弁３２が開いた状態を維持する。したがって、開閉制御部８１Ｄは、取得部８１Ａが処理装置６０からの遮断信号を取得した場合であっても、算出部８１Ｃが算出したガス流量が、基準流量未満の流量である場合には、遮断弁３２を動作させず、遮断弁３２が開いた状態を維持する。
【００８４】
以上のように、遮断ユニット３０では、処理装置６０から遮断信号を取得し、且つ流量センサ３４が基準流量以上の流量を検知した場合に、ガスの供給を遮断弁３２により遮断する。また、遮断ユニット３０では、処理装置６０から遮断信号を取得した場合であっても、流量センサ３４が基準流量未満の流量を検知した場合には、ガスの供給を遮断しない。
【００８５】
開閉制御部８１Ｄは、取得部８１Ａが処理装置６０からの復帰信号を取得し、且つ、取得部８１Ａが、第一枝管５１のガス圧力が基準圧力値未満であることを示す検知信号を取得しない場合に、閉じた遮断弁３２を開いた状態に復帰させる。したがって、開閉制御部８１Ｄは、取得部８１Ａが処理装置６０からの復帰信号を取得した場合であっても、取得部８１Ａが検知信号を取得する場合には、遮断弁３２を閉じた状態に維持する。
【００８６】
以上のように、遮断ユニット３０では、処理装置６０から復帰信号を取得し、圧力センサ３６が基準圧力値以上の圧力を検出した場合に、遮断弁３２を復帰させる。また、遮断ユニット３０では、処理装置６０から復帰信号を取得し、圧力センサ３６が基準圧力値未満の圧力を検出した場合には、遮断弁３２を復帰させない。
【００８７】
すなわち、本実施形態では、圧力センサ３６が基準圧力値以上の圧力を検出した場合に、遮断弁３２の復帰を許容し、圧力センサ３６が基準圧力値未満の圧力を検出した場合に、遮断弁３２の復帰を禁止する。
【００８８】
なお、制御基板３８は、特定の処理を実行させるために専用に設計された回路で構成された専用のプロセッサを有し、当該プロセッサに各種の処理を実行する構成であってもよい。
【００８９】
（本実施形態に係る遮断処理）
次に、本実施形態に係る遮断処理の一例について説明する。図７は、処理装置６０及び制御基板３８によって実行される処理の流れの一例を示すフローチャートである。
【００９０】
本処理は、プロセッサ６１、８１が、ストレージ６３、８３から処理プログラム６３Ａ、８３Ａを読み出し、協働して実行することにより行なわれる。本処理は、一例として、処理装置６０の電源が投入されることで、実行が開始される。
【００９１】
プロセッサ６１は、図７に示されるように、人感センサ２０からの検知結果（すなわち不在信号）を取得したか否かを判定する（ステップＳ１０２）。
【００９２】
プロセッサ６１は、人感センサ２０から不在信号を取得したと判定した場合に（ステップＳ１０２：ＹＥＳ）、ステップＳ１０４へ移行する。一方、プロセッサ６１は、人感センサ２０から不在信号を取得していないと判定した場合には（ステップＳ１０２：ＮＯ）、再度、ステップＳ１０２を行う。すなわち、人感センサ２０から不在信号を取得するまで、ステップＳ１０２を繰り返す。
【００９３】
ステップＳ１０４では、プロセッサ６１は、人感センサ２０からの不在信号の取得が継続する継続時間が、基準時間以上であるか否かを判定する。すなわち、プロセッサ６１は、人感センサ２０がガス機器１１の周辺における使用者の不在を検知した検知時間が、基準時間以上であるか否かを判定する。
【００９４】
プロセッサ６１は、継続時間が基準時間以上であると判定した場合に（ステップＳ１０４：ＹＥＳ）、遮断弁３２を閉じる遮断信号を遮断ユニット３０へ出力し、ステップＳ１０６へ移行する。一方、プロセッサ６１は、継続時間が基準時間未満であると判定した場合に（ステップＳ１０４：ＮＯ）、ステップＳ１０２へ戻る。
【００９５】
ステップＳ１０６では、プロセッサ８１は、流量センサ３４で検知されたガス流量が、基準流量以上の流量であるか否かを判定する。
【００９６】
プロセッサ８１は、流量センサ３４で検知されたガス流量が、基準流量以上の流量であると判定した場合に（ステップＳ１０６：ＹＥＳ）、遮断弁３２を閉じる制御を遮断弁３２に対して行い（ステップＳ１０８）、本処理を終了する。一方、プロセッサ８１は、流量センサ３４で検知されたガス流量が、基準流量未満の流量であると判定した場合に（ステップＳ１０６：ＮＯ）、ステップＳ１０２へ戻る。
【００９７】
なお、図７に示す処理では、例えば、処理装置６０の電源がオフとされた場合に、いずれのステップを実行しているかに関わらず、本処理を終了する。
【００９８】
以上のように、ガス遮断システム１０では、人感センサ２０がガス機器１１の周辺における使用者の不在を基準時間以上検知し、且つ流量センサ３４によって基準流量以上の流量が検出された場合に、ガスの供給を遮断弁３２により遮断する。これにより、ガス機器１１におけるガスの消し忘れを防止できる。
【００９９】
（本実施形態に係る作用効果）
以上のように、本実施形態に係るガス遮断システム１０では、遮断弁３２と流量センサ３４とを有する遮断ユニット３０を用いているため、遮断弁３２と流量センサ３４とがユニットとして構成されていない場合に比べ、ガス遮断システム１０の省スペース化を図ることができる。
【０１００】
ここで、例えば、ガス機器１１の使用状態を流量センサ３４ではなく、ガス機器１１の炎を検出する炎センサで検知する構成では、遮断弁３２と離れた位置に炎センサを配置する必要があり、ユニットとして構成できない。
【０１０１】
また、ガス遮断システム１０では、処理装置６０は、人感センサ２０からの検知結果を取得し、人感センサ２０がガス機器１１の周辺における使用者の不在を基準時間以上検知した場合に、遮断弁３２を閉じる遮断信号を遮断ユニット３０へ出力する。そして、遮断ユニット３０では、処理装置６０から遮断信号を取得し、且つ流量センサ３４が基準流量以上の流量を検知した場合に、ガスの供給を遮断弁３２により遮断する。
【０１０２】
このため、遮断ユニット３０において、人感センサ２０がガス機器１１の周辺における使用者の不在を基準時間以上検知したか否かの判定を行う必要がない。したがって、遮断ユニット３０において、当該判定を行う必要がある構成に比べ、遮断ユニット３０を簡易な構成にできる。すなわち、当該判定を行うための回路等を、遮断ユニット３０に追加する必要がなく、既存のマイコンメータを用いることが可能となる。
【０１０３】
また、ガス遮断システム１０では、遮断ユニット３０は、圧力センサ３６が基準圧力値以上の圧力を検出した場合に、遮断弁３２の復帰を許容する。
【０１０４】
このため、例えば、例えば、ガス機器１１におけるガス栓が開放状態であることによって、又は、供給管５０やガス機器１１等でのガス漏れによって、第一枝管５１のガス圧力が低下している状態で、遮断弁３２が復帰されることを防止できる。
【０１０５】
また、ガス遮断システム１０では、処理装置６０は、閉じた状態の遮断弁３２を復帰させる復帰指示を取得した場合に、復帰信号を遮断ユニット３０へ出力する。そして、遮断ユニット３０が、処理装置６０から復帰信号を取得し、圧力センサ３６が基準圧力値以上の圧力を検出した場合に、遮断弁３２を復帰させる。
【０１０６】
このため、使用者が、処理装置６０に対して遮断弁３２を復帰させる指示を入力することで、遮断弁３２を復帰できる。したがって、使用者が遮断弁３２自体を操作せずに、例えば、予め使用者が操作しやすい壁や台に設置されている処理装置６０の入力部６６を操作することにより、遮断弁３２を復帰できる。
【０１０７】
また、ガス遮断システム１０では、遮断ユニット３０は、供給管５０において、本管５６及び第二枝管５２ではなく、第一枝管５１に設けられている。このため、人感センサ２０が使用者の不在を基準時間以上検知し、流量センサ３４が基準流量以上の流量を検知した場合でも、ガス機器１２の使用を継続できる。
【０１０８】
また、ガス遮断システム１０では、人感センサ２０として、マイクロ波を照射して使用者の存否を検知するマイクロ波センサを用いている。このため、例えば、人感センサ２０として、赤外線センサを用いる場合に比べ、温度の影響を受けにくく、気温が高い環境においても誤検知を抑制できる。
【０１０９】
また、ガス遮断システム１０では、処理装置６０は、人感センサ２０におけるマイクロ波の照射範囲を変更する変更指示を取得した場合に、人感センサ２０のマイクロ波の照射範囲を変更する。
【０１１０】
このように、人感センサ２０におけるマイクロ波の照射範囲を変更できるので、ガス機器１１が設置されている設置場所の状況に合わせて、人感センサ２０の検知範囲を調整できる。また、マイクロ波の照射範囲を変更に加えて、人感センサ２０の個数を変更することで、人感センサ２０の検知範囲を微調整することが可能となる。
【０１１１】
本発明は、上記の実施形態に限るものではなく、その主旨を逸脱しない範囲内において種々の変形、変更、改良が可能である。
【符号の説明】
【０１１２】
１０   ガス遮断システム
１１   ガス機器
１２   ガス機器
２０   人感センサ
３０   遮断ユニット
３１   筐体
３２   遮断弁
３３   ガス流路
３４   流量センサ
３４Ａ 超音波センサ
３４Ｂ 超音波センサ
３６   圧力センサ
３８   制御基板
５０   供給管
５１   第一枝管
５２   第二枝管
５６   本管
５９   ガスメータ
６０   処理装置
６１   プロセッサ
６１Ａ 取得部
６１Ｂ 計測部
６１Ｃ 出力部
６１Ｄ センサ制御部
６２   メモリ
６３   ストレージ
６３Ａ 処理プログラム
６４   タイマー
６６   入力部
８１   プロセッサ
８１Ａ 取得部
８１Ｂ 計測部
８１Ｃ 算出部
８１Ｄ 開閉制御部
８２   メモリ
８３   ストレージ
８３Ａ 処理プログラム
【要約】
【課題】ガス遮断システムの省スペース化を図る。
【解決手段】ガス遮断システムは、ガス機器の周辺における人の存否を検知する検知センサと、前記ガス機器へガスを供給する供給管に設けられ、前記ガスの供給を遮断する遮断弁と、前記供給管の流量を検出する流量センサと、を有する遮断ユニットであって、前記検知センサが前記周辺における前記人の不在を予め定められた時間以上検知し、且つ前記流量センサによって予め定められた流量以上の流量が検出された場合に、前記ガスの供給を前記遮断弁により遮断する遮断ユニットと、を備える。
【選択図】図１【図１】
0006987287.tif 000002
【図２】
0006987287.tif 000003
【図３】
0006987287.tif 000004
【図４】
0006987287.tif 000005
【図５】
0006987287.tif 000006
【図６】
0006987287.tif 000007
【図７】
0006987287.tif 000008